(57)【要約】【課題】  引出し機能ユニットの引出し時の作業性を向上すると共に、引出し後に持ち運び易くした引出し機能ユニットを提供する。【解決手段】  コントロールセンタ１０に引出し機能ユニット１１を挿脱可能に装着したものにおいて、上記引出し機能ユニット１１は、上記コントロールセンタ１０内の母線１２に接続し得るようにされた電源グリップ５と、上記電源グリップ５に接続された配電用遮断器６、電磁接触器７等を内部に備え、天板１と、この天板１の下部に装着された取付板４と、上記天板１に装着され上記取付板４の側部を覆う側板２、３とから構成されると共に、上記天板１に作業者の手を差込むことができる天板孔１ａを設けた構成とする。【選択図】図１
2006246548.tif 000002
【特許請求の範囲】
【請求項１】
コントロールセンタに引出し機能ユニットを挿脱可能に装着したものにおいて、上記引出し機能ユニットは、上記コントロールセンタ内の母線に接続し得るようにされた電源グリップと、上記電源グリップに接続された配電用遮断器、電磁接触器等を内部に備え、天板と、この天板の下部に装着された取付板と、上記天板に装着され上記取付板の側部を覆う側板とから構成されると共に、上記天板に作業者の手を差込むことができる天板孔を設けたことを特徴とするコントロールセンタの引出し機能ユニット。
【請求項２】
コントロールセンタに引出し機能ユニットを挿脱可能に装着したものにおいて、上記引出し機能ユニットは、天板と、この天板に装着された上記コントロールセンタ内の母線に接続し得るようにされた電源グリップと、上記天板に装着され上記電源グリップに接続された配電用遮断器、電磁接触器等を取付けるための取付板と、上記天板に装着され上記取付板を覆う側板とから構成されると共に、上記天板に作業者の手を差込むことができる天板孔を設けたことを特徴とするコントロールセンタの引出し機能ユニット。
【請求項３】
上記天板孔は、上記コントロールセンタに向かって上記天板の中央より右寄りの位置に設けられたことを特徴とする請求項１または請求項２記載のコントロールセンタの引出し機能ユニット。
【請求項４】
上記天板孔は、楕円形状であることを特徴とする請求項１乃至請求項３のいずれか１項記載のコントロールセンタの引出し機能ユニット。
【発明の詳細な説明】
【技術分野】
【０００１】
この発明は、コントロールセンタの引出し機能ユニットに関するものである。
【背景技術】
【０００２】
一般的にコントロールセンタとは、主回路開閉器、保護装置及び監視制御器具などを機能ユニットごとにまとめたものを、閉鎖した外箱に集合的に組み込んだ装置である（例えば特許文献１参照）。そしてその機能ユニットには、外箱の構成部分に固定状態で装着された固定型機能ユニットと、主回路が充電状態であってもコントロールセンタから引き出すことにより母線から安全に切り離すことができる引出し機能ユニットの２種類があり、この発明はそのうちの引出し機能ユニットの改良に関するものである。
【０００３】
【特許文献１】特許第２８５３９４９号公報
【発明の開示】
【発明が解決しようとする課題】
【０００４】
従来の引出し機能ユニットは、コントロールセンタへの挿脱は可能であるが、引出し時の作業性及び引出し後の持ち運び易さを考慮した構造にはなっていなかった。即ち、引出し時及び持ち運び時に引出し機能ユニットを掴む個所が設定されていないため、引出し作業に際しては、掴みにくい狭い部分を掴むことになるため、余計な力が必要であるなど不便が生じていた。
【０００５】
この発明は上記のような問題点を解消するためになされたもので、引出し機能ユニットの引出し時の作業性を向上すると共に、引出し後に持ち運び易くした引出し機能ユニットを提供することを目的とする。
【課題を解決するための手段】
【０００６】
この発明に係るコントロールセンタの引出し機能ユニットは、コントロールセンタに引出し機能ユニットを挿脱可能に装着したものにおいて、上記引出し機能ユニットは、上記コントロールセンタ内の母線に接続し得るようにされた電源グリップと、上記電源グリップに接続された配電用遮断器、電磁接触器等を内部に備え、天板と、この天板の下部に装着された取付板と、上記天板に装着され上記取付板の側部を覆う側板とから構成されると共に、上記天板に作業者の手を差込むことができる天板孔を設けたものである。
【発明の効果】
【０００７】
この発明に係るコントロールセンタの引出し機能ユニットは上記のように構成され、引出し機能ユニットの天板に手を差し込んで天板を掴むことができる天板孔を設けたため、引出し機能ユニットの引出し作業が容易となり、引出し後は持ち運び易くなるものである。
【発明を実施するための最良の形態】
【０００８】
実施の形態１．
以下、この発明の実施の形態１を図にもとづいて説明する。図１は、実施の形態１の概略構成を示す斜視図で、図の手前側が正面、図の向こう側がコントロールセンタへの挿着面である。図２は、図１の上面から見た平面図、図３は、引出し機能ユニットをコントロールセンタに挿脱する状況を示す斜視図、図４は、コントロールセンタに引出し機能ユニットを挿着した状態を示す平面図で、同じ段に２個の引出し機能ユニットをコントロールセンタの前後から装着している例を示している。
【０００９】
これらの図において、引出し機能ユニット１１は、図３に示すように、コントロールセンタ１０の所定位置に複数段にわたって挿脱可能に実装されているもので、各段の引出し機能ユニットは次のように構成されている。
【００１０】
即ち、図１に示すように、天板１と、この天板に装着され、コントロールセンタ１０内に上下方向に配設されている母線１２（図４）に接続し得るようにされた例えばＵ字状接触子からなる電源グリップ５と、上記天板に装着され、上記電源グリップに接続された配電用遮断器６、電磁接触器７、制御変圧器８及び変流器９を取り付けるための取付板４と、上記天板の側方に設けられ上記取付板４を覆う側板２、３とから構成されている。
【００１１】
また、天板１の正面側の中央より右寄りの位置に天板孔１ａが設けられている。
この天板孔１ａは引出し機能ユニット１１をコントロールセンタ１０に挿入する際またはコントロールセンタ１０から引出す際に作業者が右手をこの天板孔１ａに差し込んで天板１を掴むことにより作業が容易に行なえるようにしたものである。
【００１２】
作業者は一般的に右利きの人が多いため、利き手で重量物である引出し機能ユニット１１を持つことができるように、天板孔１ａの位置を天板１の中央より右寄りの位置に設けている。また、この天板孔１ａは作業者の手が容易に入る大きさとするために、図１の手前から奥行き方向の縦寸法を30mm、図１の横方向の幅寸法を100mmに設定した楕円形状としている。
【００１３】
作業者がコントロールセンタ１０から引出し機能ユニット１１を引出す時には、図３に示すように、作業者３０の右手を天板孔１ａに差し込んで天板１を掴み、左手で図１の左側の側板２を支えるようにして引出し機能ユニット１１を持ち、引出すものである。
上記の説明では、天板孔１ａを天板１の中央より右寄りの位置に設けたが、これに限られるものではなく、天板１の中央より左寄りの位置に設けても右寄りの位置に設けた場合と同様な効果が期待できることは云うまでもない。
【図面の簡単な説明】
【００１４】
【図１】この発明の実施の形態１の概略構成を示す斜視図である。
【図２】図１の上面から見た平面図である。
【図３】引出し機能ユニットをコントロールセンタに挿脱する状況を示す斜視図である。
【図４】コントロールセンタに引出し機能ユニットを挿着した状態を示す平面図である。
【符号の説明】
【００１５】
１  天板、  １ａ  天板孔、  ２、３  側板、  ４  取付板、  ５  電源グリップ、
６  配線用遮断器、  ７  電磁接触器、  ８  制御変圧器、  ９  変流器、
１０  コントロールセンタ、  １１  引出し機能ユニット、  １２  母線、
３０  作業者。
【図１】
2006246548.tif 000003
【図２】
2006246548.tif 000004
【図３】
2006246548.tif 000005
【図４】
2006246548.tif 000006